(57)【特許請求の範囲】
【請求項１】
洋風便器本体に設置される本体と、該本体から該洋風便器本体の側方に突出し、温水を噴出可能な温水供給源を少なくとも操作するための操作部とを備えた温水洗浄便座において、
床面に設置されて上方に延在し、前記操作部を支持する支持手段を備え、
該支持手段の少なくとも一部は、水道供給源から前記洋風便器本体及び前記温水供給源の一方に給水するための給水管を兼ねていることを特徴とする温水洗浄便座。
【請求項２】
前記給水管を兼ねる前記支持手段の少なくとも一部には、前記洋風便器本体及び前記温水供給源の他方に給水するための分岐管が形成されている請求項１記載の温水洗浄便座。
【請求項３】
前記本体は前記洋風便器本体の便座取付穴に上方から固定されるものである請求項１又は２記載の温水洗浄便座。
【発明の詳細な説明】
【技術分野】
【０００１】
本発明は温水洗浄便座に関する。
【背景技術】
【０００２】
一般的に、洋風便器本体に設置される本体と、この本体に揺動可能に設けられた便座と、本体から洋風便器本体の側方に突出し、温水を噴出可能な温水供給源を少なくとも操作するための操作部と、操作部の操作によって温水供給源内の温水を便座に着座した使用者の局部に噴出させる洗浄ノズルとを備えた温水洗浄便座が知られている。温水供給源としては、温水タンクや瞬間湯沸器等が適用されている。
【０００３】
この温水洗浄便座を洋風便器本体に備えた洋風水洗式便器では、使用者が操作部を操作することにより温水供給源内の温水が洗浄ノズルから噴出し、使用者の局部を洗浄することが可能である。操作部の操作により、温風が吹き出したり、他の機能が発揮される温水洗浄便座も公知である。
【０００４】
しかし、この種の温水洗浄便座は、本体を洋風便器本体に対して下方から固定することとしており、温水洗浄便座の施工性が十分でない。一方、施工性の向上のために本体を洋風便器本体に対して上方から固定することとすれば、使用者が不用意に操作部に手をついたりして、操作部に過大な荷重をかけた場合に温水洗浄便座が洋風便器本体からずれたり、外れたりしてしまうおそれが生じてしまう。
【０００５】
このため、特許文献１に開示されているように、床面に設置されて上方に延在する支持手段を設け、この支持手段によって操作部を支持することも考えられる。この支持手段は、複数の樹脂製パイプが接合されて、高さ可変とされた支柱である。
【０００６】
上記温水洗浄便座がこのような支持手段を備えれば、たとえ施工性の向上のために本体を洋風便器本体に対して上方から固定することとしても、操作部に過大な荷重をかけた場合の温水洗浄便座のずれ等を防止することができる。
【０００７】
【特許文献１】特開昭６０−１９２０３７号公報
【発明の開示】
【発明が解決しようとする課題】
【０００８】
しかしながら、上記従来の温水洗浄便座では、本体及び操作部の少なくとも一方に給電するための電源コード、水道供給源から洋風便器本体及び温水供給源に給水するための給水管、その他の部材が雑然と配置されることになり易く、トイレ空間内の美観が損なわれやすい。このため、美観を損なわない温水洗浄便座が求められていた。
【０００９】
本発明は、上記従来の実情に鑑みてなされたものであって、洋風便器本体の側方に突出する操作部を確実に支持することができるとともに、トイレ空間内の美観を損なわない温水洗浄便座を提供することを解決すべき課題としている。
【課題を解決するための手段】
【００１０】
参考発明の温水洗浄便座は、洋風便器本体に設置される本体と、該本体から該洋風便器本体の側方に突出し、温水を噴出可能な温水供給源を少なくとも操作するための操作部とを備えた温水洗浄便座において、
床面に設置されて上方に延在し、前記操作部を支持する支持手段を備え、
該支持手段には、収納空間が形成されていることを特徴とする。
【００１１】
このような構成である参考発明の温水洗浄便座は、洋風水洗式便器に適用されて、使用者が操作部を操作することにより本体の温水供給源内の温水が洗浄ノズルから噴出し、使用者の局部を洗浄することができる。
【００１２】
そして、この温水洗浄便座は、床面に設置されて上方に延在し、操作部を支持する支持手段を備えていることから、施工性の向上のために本体を洋風便器本体に対して上方から固定した場合であっても、操作部に過大な荷重をかけたときの温水洗浄便座のずれ等を防止することができる。
【００１３】
さらに、この温水洗浄便座は、支持手段に収納空間が形成されていることから、本体及び操作部の少なくとも一方に給電するための電源コード、水道供給源から洋風便器本体及び温水供給源に給水するための給水管、その他の部材を収納空間の内部に収納することができる。このため、この温水洗浄便座は、電源コード、給水管、その他の部材を整然と配置することが可能となり、トイレ空間内の美観を損なわない。
【００１４】
したがって、参考発明の温水洗浄便座は、洋風便器本体の側方に突出する操作部を確実に支持することができるとともに、トイレ空間内の美観を損なわない。
【００１５】
参考発明の温水洗浄便座において、支持手段及び収納空間は、本発明の作用効果を奏するものであればどのような構成のものであってもかまわない。例えば、支持手段は、高さ可変なものであってもよいし、収納空間は、開閉自在な収納扉を有していてもよい。
【００１６】
参考発明の温水洗浄便座において、収納空間は、本体及び操作部の少なくとも一方に給電するための電源コードが収納可能になっていることが好ましい。この場合、電源コードがトイレ空間内に露出しないので、トイレ空間内の美観が損なわれない。
【００１７】
本発明の温水洗浄便座は、洋風便器本体に設置される本体と、該本体から該洋風便器本体の側方に突出し、温水を噴出可能な温水供給源を少なくとも操作するための操作部とを備えた温水洗浄便座において、
床面に設置されて上方に延在し、前記操作部を支持する支持手段を備え、
該支持手段の少なくとも一部は、水道供給源から前記洋風便器本体及び前記温水供給源の一方に給水するための給水管を兼ねていることを特徴とする。
【００１８】
本発明の温水洗浄便座も、洋風水洗式便器に適用されて、使用者が操作部を操作することにより本体の温水供給源内の温水が洗浄ノズルから噴出し、使用者の局部を洗浄することができる。
【００１９】
そして、この温水洗浄便座は、参考発明の温水洗浄便座と同様な支持手段を備えていることから、施工性の向上のために本体を洋風便器本体に対して上方から固定した場合であっても、操作部に過大な荷重をかけたときの温水洗浄便座のずれ等を防止することができる。
【００２０】
さらに、この温水洗浄便座は、支持手段の少なくとも一部が水道供給源から洋風便器本体及び温水供給源の一方に給水するための給水管を兼ねていることから、支持手段と給水管とを整然と配置することに可能となる。このため、この温水洗浄便座も、トイレ空間内の美観を損なわない。
【００２１】
したがって、本発明の温水洗浄便座も、洋風便器本体の側方に突出する操作部を確実に支持することができるとともに、トイレ空間内の美観を損なわない。
【００２２】
本発明の温水洗浄便座において、支持手段は、少なくとも一部が給水管を兼ねるものであれば、どのような構成であってもかまわない。例えば、支持手段は、少なくとも一部が高さ可変となっていてもよい。
【００２３】
本発明の温水洗浄便座において、給水管を兼ねる支持手段の少なくとも一部には、洋風便器本体及び温水供給源の他方に給水するための分岐管が形成され得る。この場合、洋風便器本体及び温水供給源の他方に給水する給水管を短い経路で配設することが可能となり、トイレ空間内の美観を損なわない。
【００２４】
本発明の温水洗浄便座において、本体は洋風便器本体の便座取付穴に上方から固定されるものであり得る。この場合、本発明の温水洗浄便座は、支持手段によって、操作部に過大な荷重をかけた場合の温水洗浄便座のずれ等を防止することができる。
【発明を実施するための最良の形態】
【００２５】
以下、本発明を具体化した実施例、及び参考例を図面を参照しつつ説明する。
【実施例１】
【００２６】
＜参考例＞
図１及び図２に示すように、参考例の温水洗浄便座１は、洋風水洗式便器８に適用されるものであり、洋風便器本体９に設置される本体１０と、本体１０から洋風便器本体９の側方に突出し、温水を噴出可能な温水供給源としての温水タンク１１を少なくとも操作するための操作部２０と、床面９９に設置されて上方に延在し、操作部２０を支持する支持手段３０とを備えている。温水タンク１１は、本体１０側に設置されている。
【００２７】
支持手段３０は、図３に示すように、樹脂、金属、木材その他の一般的な材料からなる略矩形断面中空体であり、上端が操作部２０の下面に当接した状態で操作部２０に固定され、下端が高さ調整用スペーサ３１を介して床面９９に当接されている。
【００２８】
支持手段３０の中空部分には、収納空間３２が形成されており、壁に設置されているコンセント８０から延びる電源コード８１が支持手段３０の背面下方の開口３３から収納空間３２内に導入され、上方の操作部２０の内部まで導かれている。この電源コード８１は、本体１０及び操作部２０に給電するためのものである。また、壁から突設された給水管８２も、支持手段３０の背面下方の開口３３から収納空間３２内に導入され、上方の操作部２０の内部を通過した後、分岐して、本体１０の温水タンク１１及び洋風便器本体９が備えるロータンク９１に導かれている。この給水管８２は、水道供給源から洋風便器本体９及び温水タンク１１に給水するためのものである。
【００２９】
このような構成である参考例の温水洗浄便座１は、施工性の向上のために、本体１０が洋風便器本体９に対して上方から載置された後、ワンサイドファスナ７０等により固定される。そして、使用者が操作部２０を操作することにより本体１０の温水タンク１１内の温水が洗浄ノズル（図示しない）から噴出し、使用者の局部を洗浄することが可能となっている。
【００３０】
そして、この温水洗浄便座１は、床面９９に設置されて上方に延在し、操作部２０を支持する支持手段３０を備えていることから、施工性の向上のために本体１０を洋風便器本体９に対して上方から固定した場合であっても、操作部２０に過大な荷重をかけたときの温水洗浄便座１のずれ等を防止することができている。
【００３１】
さらに、この温水洗浄便座１は、支持手段３０に収納空間３２が形成されていることから、本体１０及び操作部２０に給電するための電源コード８１、水道供給源から洋風便器本体９及び温水タンク１１に給水するための給水管８２を収納空間３２の内部に収納することができている。このため、この温水洗浄便座１は、電源コード８１、給水管８２等を整然と配置することができており、トイレ空間内の美観を損なわない。
【００３２】
したがって、参考例の温水洗浄便座１は、洋風便器本体の側方に突出する操作部を確実に支持することができているとともに、トイレ空間内の美観を損なわない。
【実施例２】
【００３３】
＜実施例＞
図４に示すように、実施例の温水洗浄便座２は、支持手段４０が給水管を兼ねている点が参考例の温水洗浄便座１と異なる。その他の構成は、参考例の温水洗浄便座１と同様であるので、説明は省く。
【００３４】
支持手段４０は、床面９９に設置されて上方に延在し、上端が操作部２０の下面に当接した状態で操作部２０に固定される金属パイプ製の給水管であり、その中間には、分岐管４１が形成されている。そして、給水管としての支持手段４０は、水道供給源から本体１０の温水タンク１１に給水するためのものであるとともに、分岐管４１を経由して、洋風便器本体９が備えるロータンク９１にも給水するためのものである。
【００３５】
このような構成である実施例の温水洗浄便座２も、参考例の温水洗浄便座１と同様に、洋風水洗式便器８に適用されて、同様の作用効果を奏することが可能となっている。
【００３６】
そして、この温水洗浄便座２も、床面９９に設置されて上方に延在し、操作部２０を支持する支持手段４０を備えていることから、施工性の向上のために本体１０を洋風便器本体９に対して上方から固定した場合であっても、操作部２０に過大な荷重をかけたときの温水洗浄便座１のずれ等を防止することができている。
【００３７】
さらに、この温水洗浄便座２は、支持手段４０が水道供給源から温水タンク１１に給水するための給水管を兼ねていることから、支持手段４０と給水管とを整然と配置することに可能となる。このため、この温水洗浄便座２も、トイレ空間内の美観を損なわない。
【００３８】
したがって、実施例の温水洗浄便座２も、洋風便器本体の側方に突出する操作部を確実に支持することができるとともに、トイレ空間内の美観を損なわない。
【００３９】
また、この温水洗浄便座２において、給水管を兼ねる支持手段４０には、洋風便器本体９が備えるロータンク９１に給水するための分岐管４１が形成されていることから、洋風便器本体９に給水する給水管を短い経路で配設することが可能となり、トイレ空間内の美観を損なわない。
【００４０】
以上において、本発明を実施例に即して説明したが、本発明は上記実施例に制限されるものではなく、その趣旨を逸脱しない範囲で適宜変更して適用できることはいうまでもない。
【００４１】
例えば、実施例では、温水タンク１１が本体１０側に設定されているが、温水タンク１１が操作部２０内に設置されていてもよい。また、温水供給源として瞬間湯沸器を採用してもよい。
【産業上の利用可能性】
【００４２】
本発明は温水洗浄便座に利用可能である。
【図面の簡単な説明】
【００４３】
【図１】参考例の温水洗浄便座の斜視図である。
【図２】参考例の温水洗浄便座に係り、洋風水洗式便器に適用された状態を示す斜視図である。
【図３】参考例の温水洗浄便座に係り、洋風水洗式便器に適用された状態を示す概略断面図である。
【図４】実施例の温水洗浄便座に係り、洋風水洗式便器に適用された状態を示す斜視図である。
【符号の説明】
【００４４】
１、２…温水洗浄便座
８…洋風水洗式便器
９…洋風便器本体
１１…温水供給源（温水タンク）
１０…本体
２０…操作部
３０、４０…支持手段
３２…収納空間
４１…分岐管
８１…電源コード
８２…給水管
９９…床面
【図１】
0004771832.tif 000002
【図２】
0004771832.tif 000003
【図３】
0004771832.tif 000004
【図４】
0004771832.tif 000005